(57)【要約】【課題】母材へのＬＥＤランプの取り付け作業性の向上、メンテナンス性の向上。【解決手段】軸状部材１７は、略円柱形状であり、ＬＥＤリード線１５を挟み込ませるリード線用溝１８を軸方向に上部側に形成し、リード線用溝１８と直交して交わるとともに電源ケーブル１９を挟み込ませる電源ケーブル用溝２０を軸方向とは直交する方向に上部側に形成し、電源ケーブル１９を電源ケーブル用溝２０に挟み込ませ、ＬＥＤリード線１５をリード線用溝１８に挟み込ませて、ＬＥＤリード線１５が電源ケーブル１９を上から押さえつけ、ＬＥＤリード線１５及び電源ケーブル１９を接触状態に保ったまま軸状部材１７に固定する。ＬＥＤランプ２の下部が軸状部材１７の上面２１に着座する。軸状部材１７の表面上に軸方向突起２２が軸方向に所定間隙又は任意間隙で形成されており、全体として凹凸形状になっている。【選択図】図５
2006286206.tif 000002
【特許請求の範囲】
【請求項１】
表面板部の法線方向に貫通形成される発光ダイオート点灯用孔、裏面板部の法線方向に貫通形成され前記発光ダイオート点灯用孔より大径の発光ダイオート挿入用孔、及び、横方向に貫通形成される中空部を備える板状の母材と、
発光ダイオードランプのリード線を挟み込ませるリード線用溝を軸方向に上部側に形成し、電源ケーブルを挟み込ませる電源ケーブル用溝を前記軸方向とは交差する方向に上部側に形成し、前記発光ダイオート挿入用孔に挿入される軸状部材と、
前記電源ケーブルを電源ケーブル用溝に挟み込ませ、前記リード線を前記リード線用溝に挟み込ませて、前記リード線が前記電源ケーブルを上から押さえつけることにより、前記リード線及び電源ケーブルを前記軸状部材に固定することを特徴とする電飾装置。
【請求項２】
前記軸状部材に、環状溝を、前記電源ケーブル用溝よりも下方の位置に前記軸方向とは交差する方向に上部側に形成し、前記環状溝に弾性環状部材を嵌合することにより、該弾性環状部材で前記リード線を押さえて固定することを特徴とする請求項１の電飾装置。
【発明の詳細な説明】
【技術分野】
【０００１】
この発明は、電飾装置、詳しくは、発光ダイオードランプ（以下、ＬＥＤランプともいう）を利用して床材、壁材、天井材等の電飾効果を高める電飾装置に関わる。
【背景技術】
【０００２】
従来の電飾装置には、床電飾装置がある。これは遊技店のような建物の床に電飾装置を設けることにより、建物内の空間全体に電飾の効果を及ぼして空間全体を視覚的に盛り上げ、高揚させることができるようにした床電飾装置を提供するため、建物の床上に枠体を載置し、該枠体の上に透光板を載置し、建物の床と枠体と透光板とによって囲まれた光源収容空間内に光源を載置し、該光源の点滅は制御装置によって制御されるものがある（特許文献１）。
また、エレクトロ・ルミネッセンスシートを利用する電飾装置であって、設置スペースが従来よりも狭くても大丈夫であるとともに設置するにあたっての取り付け工事が簡易であり、その上、設置した場合、壁面等の被設置面から殆ど突出してみえないため違和感がなく、その装飾効果は一層向上し、よって、その応用範囲は従来よりも極めて向上する電飾装置を提供するため、エレクトロ・ルミネッセンスシートの放出光側面に、透光性表現手段を設置した電飾装置がある（特許文献２）。
また、液晶表示装置や電飾看板などのバックライト用面状光源を軽量で光の損失が少なく、しかも薄型で輝度が均一で安価なものにするため、内面が反射面に形成された箱体と、該箱体内に内蔵された線状光源とからなり、前記箱体の一壁面に光透過領域が多数個均斉に設けられるとともに、前記線状光源から遠くなるにつれて、該光透過領域の前記一壁面に対する割合が大きくなるように設けられ、該壁面から前記線状光源の光を放射するものがある（特許文献３）。
さらに電飾景観を有する土木構造物がある。これは、簡単な構成で、夜間において電飾景観を有し、しかも維持管理の容易な土木構造物を提供する。河川、海岸堤防、道路擁壁のコンクリート構造物に絵タイルを縦横に列設したブロックを重層、固定し、絵タイルの絵画を構成する部分に設けられた凹窩に多色の発光体を埋設し、同各発光体を電気的に制御する集中制御ユニツトに接続したものがある（特許文献４）。
【０００３】
【特許文献１】特開2003-210824
【特許文献２】特開2000-112412
【特許文献３】特開平08-153405
【特許文献４】特開平05-051935
【発明の開示】
【発明が解決しようとする課題】
【０００４】
しかし、特許文献１〜３の従来の電飾装置の発光源は面状又は線状であって、電飾効果が大まかである。特許文献４はコンクリートに点光源を埋設する構造としているが、コンクリートに埋設する構造であるので、発光体の修理やメンテナンスが大変面倒である。また、孔にごみがたまって電飾効果が低減するおそれがある。さらにコンクリートの熱による膨張・圧縮を考慮した設計を行わなければならない。
【課題を解決するための手段】
【０００５】
更に具体的に、母材（例えば中空木質合成材）へＬＥＤランプを取り付けて電飾効果を高めることが考えられる。母材に上下方向に表面に小穴、裏面に大穴を開けてＬＥＤランプを埋め込むことが考えられる。小穴にＬＥＤランプの光が外部に放射するようにする。それに対して、裏面の大穴からウレタンを注入したり、或いは、その大穴をキャップを挿入し固定する、さらにはそれらの組み合わせて固定することが考えられる。
しかしながら、現実的に種々の問題がある。一つはＬＥＤランプの結線に非常に手間がかかる。あらかじめＬＥＤランプを母材に埋め込む前にＬＥＤ配線を接続配線にハンダ付けして、それからＬＥＤランプを落とし込んで、ウレタンで固定しなければいけない。それからウレタンを注入することに対して、手間とかロスの問題点が大きい。特にウレタンが固まるまで待たなければいけないので、製品の信頼性が薄い。また、作業の途中でＬＥＤランプが取れてしまうおそれもある。さらに、後からＬＥＤランプを交換したいというときに、交換が不可能な状態ということになってくるので、メンテナンス性が悪い。現場で作業ができない、もしくは、しずらい、大きな穴を開けないといけないので特殊な工具がいるという作業性の問題がある。こういう方法では現実的に市場で商品として供給してゆくにのは問題がある。
【０００６】
本発明の課題は、母材へのＬＥＤランプの取り付け作業性の向上、メンテナンス性の向上を目的とする。
【０００７】
前述の課題を解決するために、請求項１記載の発明は、表面の法線方向に貫通形成される発光ダイオート点灯用孔、裏面の法線方向に貫通形成される発光ダイオート点灯用孔より大径の発光ダイオート挿入用孔、横方向に貫通形成される中空部を備える母材と、発光ダイオードランプのリード線を挟み込ませるリード線用溝を軸方向に上部側に形成し、電源ケーブルを挟み込ませる電源ケーブル用溝を前記軸方向とは交差する方向に上部側に形成し、前記発光ダイオート挿入用孔に挿入される軸状部材と、前記電源ケーブルを電源ケーブル用溝に挟み込ませ、前記リード線を前記リード線用溝に挟み込ませて、前記リード線が前記電源ケーブルを上から押さえつけることにより、前記リード線及び電源ケーブルを前記軸状部材に固定することを特徴とする電飾装置である。
【０００８】
請求項２記載の発明は、前記軸状部材に、環状溝を、前記電源ケーブル用溝よりも下方の位置に前記軸方向とは交差する方向に上部側に形成し、前記環状溝に弾性環状部材を嵌合することにより、該弾性環状部材で前記リード線を押さえて固定することを特徴とする請求項１の電飾装置である。発光ダイオードランプ点灯用孔の上面と発光部の上面とが面一となることが好ましいが、上から視認可能であれば、多少の許容範囲は許される。
【０００９】
この電飾装置は、床材、壁材、天井材、柱材等に適用されることを含むものである。また屋外、室内を問わず適用可能である。
【００１０】
母材、例えば、中空木質合成材内部は仕切板で分割された中空状であるが、この中空部にウレタン発泡体等を充填することで母材の強度をも向上させ、電飾装置用構成部材としての利用に耐え得る木質合成材へ加工している。
ここで、母材内部に成形される仕切板の数は、少なくとも２つ以上であることが好ましい。
【００１１】
ここでいう母材の一例として中空木質合成板を挙げるが、これは木粉と熱可塑性樹脂等の混合体により成形されたものが好ましい。特に好ましくは、汎用プラスチック（ポリオレフィン、ポリスチレン系樹脂、メタクリル樹脂、ポリ塩化ビニール等）、エンジニアリングプラスチック（ポリアミド、ポリカーボネート、飽和ポリエステル、ポリアセタール等）等である。例えば、ポリエチレン（以下ＰＥと記す）、ポリプロピレン（以下ＰＰと記す）又はナイロン等の熱可塑性エラストマーより成ることが好ましい。木粉の種類は問わない。強化剤（無水マレイン酸変性ポリプロピレン（例：三洋化成工業（株）ユーメックス１０１０）等）を数％程度以下（例えば０．５％）で混合することがある。
【発明の効果】
【００１２】
請求項１〜２の発明の電飾効果によって、ＬＥＤランプを短時間に母材に固定でき作業性が良好である。一般的な市場で誰でも入手できるＬＥＤランプを使うことができる。ＬＥＤランプの交換が容易である。現場作業が容易である。母材の片面だけに電飾することもできるし、両面の電飾効果も得られる。
【発明を実施するための最良の形態】
【００１３】
本発明実施形態１の電飾装置１を図１〜図５を参照して説明する。この電飾装置１は、床材を構成するものであり、ＬＥＤランプ２を表面側から視認できるように、ＬＥＤランプ２を、母材としての中空木質合成材３に埋設したものである。即ち、電飾装置１は、ＬＥＤランプ２と、中空木質合成材３とを備えている。中空木質合成材３は、表面板部４、表面板部４と平行な裏面板部５、表面板部４と裏面板部５とを一体に結合する仕切部６、表面板部４と裏面板部５と仕切部６の間に形成され押出方向（水平方向）に貫通する複数の中空部７、及び表面板部４に法線方向に形成されるＬＥＤランプ点灯用孔８、裏面板部５に法線方向に形成されるＬＥＤランプ挿入用孔９を備えている。また、ＬＥＤランプ２は、ＬＥＤランプ点灯用孔８の上面８ａと面一となるように上面１１が配置される発光部１２と、発光部１２を包むレンズから構成される保持部１３とを備えている。ＬＥＤランプ２は、ＬＥＤランプ挿入用孔９から挿入され発光部１２をＬＥＤランプ点灯用孔８に挿入固定するものである。またＬＥＤランプ２から延び出し中空部７に配線されるＬＥＤリード線１５を取り付けることにより、保持部１３の下部１６を取り付ける軸状部材１７と、を備えている。以下、詳細に説明する。
【００１４】
軸状部材１７は、図５〜図８に示す通り、略円柱形状であり、ＬＥＤリード線１５を挟み込ませるリード線用溝１８を軸方向に上部側に２つ形成している。２つのリード線用溝１８は、それぞれ、ＬＥＤリード線１５のプラス端子とマイナス端子に対応する。この２つのリード線用溝１８は、軸状部材１７の反対面（１８０度、異なる面）にそれぞれ設けてある。また、リード線用溝１８と直交して交わるとともに電源ケーブル１９を挟み込ませる電源ケーブル用溝２０を軸方向とは直交する方向（水平方向）に上部側に２つ形成したものである。２つの電源ケーブル用溝２０は、それぞれ、電源ケーブル１９のプラス用電源線とマイナス用電源線に対応する。この２つの電源ケーブル用溝２０は、形成した位置の高さが異なっており、また、軸状部材１７の反対面（１８０度、異なる面）にそれぞれ設けてある。電源ケーブル１９を電源ケーブル用溝２０に挟み込ませ、ＬＥＤリード線１５をリード線用溝１８に挟み込ませて、ＬＥＤリード線１５が電源ケーブル１９を上から押さえつけることにより、ＬＥＤリード線１５及び電源ケーブル１９を接触状態に保ったまま軸状部材１７に固定するようになっている。横断面で見ると、リード線用溝１８の溝幅は、中心に近づくほど縮小しているので、溝の途中までは、リード線用溝１８の表面は溝幅が縮径するような傾斜面となっている。縦断面で見ると、電源ケーブル用溝２０は溝幅は、中心に近づくほど縮小しているので、溝の途中まで、電源ケーブル用溝２０の表面は溝幅が縮径するような傾斜面となっている。軸状部材１７の上部外径は下方に向かって拡径している。ＬＥＤランプ２の下部が軸状部材１７の上面２１に着座する。軸状部材１７の下部の直径は８〜１０ｍｍが好ましい。図７に示す通り、軸状部材１７の表面上に軸方向突起２２が軸方向に所定間隙又は任意間隙で形成されており、全体として凹凸形状になっている。これが加締となりパッキンの機能を果たす。軸方向突起２２の突出高さは挿脱の作業性確保の点からは、０．１〜０．４ｍｍが好ましい。ＬＥＤリード線１５の先端は更に延長して湾曲又は折り曲げてもよく、脱落を防止するのに有効である。軸状部材１７の底面は水平な円形面２３である。図示は略すが、リード線用溝１８は溝幅が下方に行くに従って、縮小している。これによりＬＥＤリード線１５が電源ケーブル１９を押さえつける力が強くなる。
【００１５】
中空木質合成材３は木材や金属と対比し熱による線膨張係数は小さいが、特に縦方向に対する線膨張が横方向より大きく出る傾向にある。材質にもよるが、中空木質合成材３が伸縮した場合に、軸状部材１７の上端部が伸縮に追従して、孔から抜けにくいことがある。
【００１６】
図３では発光方向は片方向であるが、ＬＥＤランプ点灯用孔８、ＬＥＤランプ挿入用孔９の位置を逆にする構成を加えることができる。
【００１７】
また、中空木質合成材３と軸状部材１７とを同一材料で作れば、ＬＥＤランプ２を埋め込んだ後に、軸状部材１７をサンダー等の研磨材で研磨してやることで、中空木質合成材３裏面と軸状部材１７下面が、面一になり、また、継ぎ目を目ただなくすることができる。
【００１８】
電飾装置１の設置作業（現場施行タイプのもの）について説明する。電動工具で中空木質合成材３の表面板部４にＬＥＤランプ点灯用孔８を開けるとともに、裏面板部５にＬＥＤランプ点灯用孔８よりも大径のＬＥＤランプ挿入用孔９を開ける。工場で前記孔を予め形成しておいてもよい。電源ケーブル１９を電源ケーブル用溝２０に挟み込ませる。ＬＥＤリード線１５をリード線用溝１８に上方から差込む。そして、ＬＥＤランプ２の上面１１からＬＥＤランプ挿入用孔９に挿入し、軸状部材１７の下部をＬＥＤランプ挿入用孔９に嵌合させて、上面１１をＬＥＤランプ点灯用孔８に収容するよう差込む。中空木質合成材３の中空部７を配線格納場所として利用する。中空部７の両小口に出ているＬＥＤリード線１５にコネクター２１を取り付ける。電源ケーブル２０、コネクタ２１等は外観向上のため中空部７に収容してもよい。また、ＬＥＤランプ２を点滅させる等の制御を行うコントローラを中空部７に内蔵させるてもよい。ＬＥＤランプ２の発光色の変更、破損等により、ＬＥＤランプ２を交換する場合もある。
【００１９】
以上説明した実施形態１の電飾装置１によれば、ＬＥＤランプ２を短時間に中空木質合成材３にワンタッチ式の取り付け作業で固定できるので、工場生産性もよくなるし、現場作業性が良好である。さらに品質安定性、メンテナンス性といったものが確保できる。軸状部材１７の成形型も作りやすく成形もしやすいので、製品安定性が高まる。一般的な市場で誰でも入手できるＬＥＤランプ２を使うことができる。ＬＥＤランプ２の交換が容易である。ＬＥＤランプ２の現場での取り付け作業が容易である。ウレタン発泡体等の接着剤でＬＥＤランプ２を中空木質合成材３に固定するよりも、ＬＥＤランプ挿入孔９を小さくでき、具体的には３０ｍｍを７〜１０ｍｍ程度にできるので、特殊な工具が不要となる。軸状部材１７を射出成形とすれば、非常に効率的に製造できコストが安くできる。ＬＥＤランプ点灯用孔８、ＬＥＤランプ挿入用孔９の開け方によって、片面だけの電飾をすることもできるし、両面ともに電飾をすることができるので、設計の自由度が高まる。
【００２０】
次の実施形態２の電飾装置１０１を図８〜図１０を参照して説明する。実施形態１と共通する要素は対応する番号を１００番台として説明は援用する。
この実施形態２は、ＬＥＤリード線１１５を確実に押さえるため、軸状部材１１７の上部側領域において、電源ケーブル用溝１２０の下部に環状溝１５０を軸方向とは直交する方向に追加して形成してある。環状溝１５０に弾性リング１５１を下方から取り付けて、環状溝１５０に嵌合することにより、ＬＥＤリード線１１５を上から押さえて、ＬＥＤリード線１１５が確実に電源ケーブル１１９を周囲から押さえ込むようになっている。
【００２１】
電源ケーブル１３０を電源ケーブル用溝１３１に挟み込ませ、ＬＥＤリード線１１５をリード線用溝１３１に挟み込ませて、ＬＥＤリード線１１５が電源ケーブル１３０を上から押さえ付けることにより、ＬＥＤリード線１１５及び電源ケーブル１３０を軸状部材１１７に固定する。リード線用溝１３１の奥側の溝（ＬＥＤリード線１１５を誘導する部分ではなく収容する部分）の深さはリード線の径の１．５倍〜３倍、好ましくは１．５倍〜２倍程度が好ましい。
【００２２】
本実施形態２によれば、実施形態１と共通する効果を奏するほかに、これによりＬＥＤリード線１１５と電源ケーブル１１９との接触が確実になる。
【００２３】
尚、本発明は、上述の実施の形態に限定されるものではなく、本発明の技術的思想を逸脱しない範囲に於て、改変等を加えることが出来るものであり、それらの改変、均等物等も本発明の技術的範囲に含まれることとなる。
【産業上の利用可能性】
【００２４】
本発明は、ベンチ、床材、壁材等に電飾効果を与えるので、各種イベント会場、遊園地、博覧会会場、駅前広場等に設置できる。
【図面の簡単な説明】
【００２５】
【図１】本発明実施形態１の電飾装置１の全体斜視図である。
【図２】（ａ）は電飾装置１の平面図、（ｂ）は同裏面図である。
【図３】同電飾装置１の断面図である。
【図４】同電飾装置１の取り付け方を示す斜視図である。
【図５】（ａ）はＬＥＤランプ２を取り付けた軸状部材１７の正面図、（ｂ）は同側面図、（ｃ）は中央縦断面図である。
【図６】（ａ）は図６（ｂ）のＡ−Ａ断面図であり軸状部材１７の中央縦断面図、（ｂ）は図６（ａ）のＢ−Ｂ断面図、（ｃ）は軸状部材の正面図である。
【図７】（ａ）は図６（ｃ）のＣ−Ｃ断面図、（ｂ）は同Ｄ−Ｄ断面図、（ｃ）は同Ｅ−Ｅ断面図、（ｄ）は同Ｆ−Ｆ断面図である。
【図８】（ａ）は実施形態２のＬＥＤランプ１０２を取り付けた軸状部材１１７の正面図、（ｂ）は図８（ａ）のＧ−Ｇ断面図、（ｃ）は同側面図、（ｄ）は図８（ｂ）のＨ−Ｈ断面図、（ｅ）は同中央縦断面図である。
【図９】（ａ）は実施形態２の軸状部材１１７の正面図、（ｂ）は図９（ａ）のＪ−Ｊ断面図、（ｃ）は同側面図、（ｄ）は図９（ｂ）のＫ−Ｋ断面図である。
【図１０】（ｅ）は図９（ａ）の中央縦断面図、（ｆ）は図１０（ｅ）のＭ−Ｍ断面図、（ｇ）は同Ｎ−Ｎ断面図である。
【符号の説明】
【００２６】
１・・・電飾装置  ２・・・ＬＥＤランプ  ３・・・中空木質合成材
４・・・表面板部  ５・・・裏面板部  ６・・・仕切部  ７・・・中空部
８・・・ＬＥＤランプ点灯用孔  ９・・・ＬＥＤランプ挿入用孔
８ａ・・・上面  １１・・・上面  １２・・・発光部  １３・・・保持部
１５・・・ＬＥＤリード線  １６・・・下部  １７・・・軸状部材
１８・・・リード線用溝  １９・・・電源ケーブル  ２０・・・電源ケーブル用溝
２１・・・上面  ２２・・・軸方向突起  ２３・・・円形面
１５０・・・環状溝  １５１・・・弾性リング
【図１】
2006286206.tif 000003
【図２】
2006286206.tif 000004
【図３】
2006286206.tif 000005
【図４】
2006286206.tif 000006
【図５】
2006286206.tif 000007
【図６】
2006286206.tif 000008
【図７】
2006286206.tif 000009
【図８】
2006286206.tif 000010
【図９】
2006286206.tif 000011
【図１０】
2006286206.tif 000012